(57)【要約】【課題】可撓性コア上に剛性材料製のリンクを備えるブレスレットを提供すること。【解決手段】ブレスレット（１）が、いくつかの並置された剛性材料製のリンク（２）およびその上に前記リンクがねじ付けされる可撓性コア（３）で形成されている。可撓性コア（３）が、取外し可能に次々に組み合わされた可撓性要素（４）でその長さの一部にわたって形成されている。各可撓性要素は、２つの対向する側面上に、第１の組合せ部分（７）と、前記第１の組合せ部分に対して相補的である第２の組合せ部分（６）を備える。前記要素は、可撓性ストリップを形成するために、第１および第２の組合せ部分を互いに嵌合することによって次々に組み合わせることができる。前記リンク（２）は、前記可撓性要素をその組み合わされた位置に保持するために前記可撓性コア上に配置されている。【選択図】図１
2005230556.tif 000002
【特許請求の範囲】
【請求項１】
剛性材料製のいくつかの並置されたリンク（２）と前記リンクが取り付けられる可撓性コア（３）とで形成されているブレスレット（１）であって、前記可撓性コアが、その長さの一部にわたって、取外し可能に次々に組み合わされた可撓性要素（４）で形成されており、前記可撓性コア（３）の長さの方向に前記可撓性要素（４）は、それぞれ、第１および第２の組合せ部分を互いに嵌合させることによって前記要素を次々に組み合わせるように、第１の組合せ部分（６、２６）と前記第１の組合せ部分に対して相補的である第２の組合せ部分（７、２７）とを２つの対向する側面に備え、互いに嵌合された部分を覆うことによって前記可撓性要素をその組み合わされた位置に保持するように前記リンクが前記可撓性コア上に配置されていることを特徴とするブレスレット（１）。
【請求項２】
次々に組み合わされた前記要素（４）を備える前記可撓性コア（３）が、前記コアの長さの大部分にわたって一様な厚さの可撓性ストリップを形成することを特徴とする請求項１に記載のブレスレット（１）。
【請求項３】
可撓性要素の組合せ部分（７、２７）の１つが、別の隣接する可撓性要素の相補的な組合せ部分（６、２６）の１つの中に嵌合することができるように、Ｔ字型または台形形状またはハトの尾型であることを特徴とする請求項２に記載のブレスレット（１）。
【請求項４】
剛性材料製のリンク（２）が、幅が前記可撓性要素（４）の幅とほぼ等しくその高さが、前記可撓性要素の厚さの２倍よりも小さい長手方向開口（１２）を備える管状の形状であり、および２つの隣接する可撓性要素の互いに嵌合された部分（６、７；２６、２７）を前記要素を組み合わされた位置に保持するように、前記リンクの１つによって完全に覆われるように前記可撓性コア（３）上に前記リンクが配置されることを特徴とする請求項１から３のいずれかに記載のブレスレット（１）。
【請求項５】
ストリップの形状の前記可撓性コア（３）が、１ｍｍ未満、好ましくは約０．２ｍｍの幅の形状記憶材料などの弾性または超弾性材料で形成されていることを特徴とする請求項１から４のいずれかに記載のブレスレット（１）。
【請求項６】
前記形状記憶材料が、チタニウムとニッケルで形成された金属合金、または複合プラスチック材料であることを特徴とする請求項５に記載のブレスレット（１）。
【請求項７】
前記弾性材料が、金属ガラス材料であることを特徴とする請求項５に記載のブレスレット（１）。
【請求項８】
前記リンク（２）が、セラミック材料、サーメットまたは超硬合金製であること、および前記リンクの厚さが３ｍｍ未満、好ましくは約２ｍｍであることを特徴とする請求項１から７のいずれかに記載のブレスレット（１）。
【請求項９】
前記可撓性要素（４）が、前記組合せ部分（７、２７）の１つを通る開口（８）であって、最後のリンクに対応する端部部片（５）の固定ステム（９）を前記コアの一方の端部で最後の可撓性要素を通して通過させる少なくとも１つの開口（８）を備え、最後の可撓性要素に固定された前記端部部片が、前記可撓性コアでブレスレット・リンクを位置決めすることを特徴とする請求項１に記載のブレスレット（１）。
【請求項１０】
前記ブレスレットの端部の１つの最後のリンクに対応する１つの端部部片（５）が、最後の可撓性要素（４）の自由な組合せ部分（７、２７）の１つに固定され、前記自由な組合せ部分は、前記端部部片の相補的な形状のくぼみ（２５）内に保持されていることを特徴とする請求項１に記載のブレスレット（１）。
【発明の詳細な説明】
【技術分野】
【０００１】
本発明は、可撓性コア上に剛性材料製のリンクを有するブレスレットに関する。ブレスレットは、可撓性コア上にねじ付けされているいくつかの並置された剛性材料製のリンクで形成され、このことは、ブレスレットに曲げることができるようにするために必要なすべての可撓性を与えている。ブレスレットは、たとえば、１つまたは２つのブランチを有する時計ベルト、または、１つのブランチと、ブレスレットのブランチの端部の１つにそれぞれ配置された留め金部品とを有する従来型のブレスレットであってもよい。
【背景技術】
【０００２】
剛性材料製のリンクは、剛性の装飾部品としてだけでなく、ブレスレットをより耐久性があり、頑丈なものにするために使用される。したがって、使用される剛性材料は、肌に適している、すなわち非アレルギー性であり、摩耗に対して耐久性のあるタイプのものから選択されなければならない。
【０００３】
連接部分を備える中央コアに装着された剛性のリンクを備えるブレスレットは、従来技術のいくつかの文書ですでに開示されている。ＥＰ特許第０  ０３０  ７０５号は、ヒンジ結合されたブレスレットを開示している。ブレスレットは、対向する２つの面上に形成された横方向に突き出している２つの部分をそれぞれ有するほぼ平行六面体の形状の剛性要素の鎖で形成されている。各要素のこれらの突き出している部分は、鎖を形成するために要素を次々に把持することを可能にするように各面上で異なる方向を有する真直なＬ字型のセクションである。剛性要素は、組み合わされた剛性要素を保持するために枠の形状の剛性のリンクで覆われている。ブレスレットは、剛性要素の突き出している部分で接合される。
【０００４】
欧州特許第０  ０３０  ７０５号に開示されているこのようなヒンジ結合されたブレスレットの１つの欠点は、これが剛性の内部要素で形成されていることである。このことは、ブレスレットが接合されることを可能にするためにその突き出している部分を有する要素の特定の形状を必要とする。したがって、要素の鎖を形成し、ブレスレットを接合することを可能にするために、内部要素をその突き出し部分を有して比較的厚くしなければならないため、ブレスレットの厚さは極めて厚くなる。
【０００５】
中国特許第３６５  ２４２号は接合された要素を備えるブレスレットを開示している。このブレスレットは、丸みを帯びた対向する縁部を備える一連の剛性プレートで形成されている。プレートは、次々にフック留めされ、剛性のリングが、一連のフック留めされたプレート上に係合されている。これらのリングは、ブレスレットがプレートの丸みを帯びた縁部で接合されることを可能にしながらプレートをフック留めされたままに保持する。
【０００６】
前の文書について、中国特許第３６５  ２４２号に開示されているこのようなブレスレットの１つの欠点は、接合されたブレスレットを作製するために、剛性の内部プレートの厚さを厚くしなければならないことである。
【０００７】
ドイツ国特許第１  ０８１  ２６０号は、次々に組み合わされたフック要素で形成されたコアの上に配置された、リンクを形成する管状の要素で形成されている接合されたブレスレットを開示している。ブレスレットの長さは、いったんそれらを覆うリンクを取り外した後、フック要素のいくつかを外すことによって調節することができる。しかし、剛性要素であるフック要素を次々にフック留めすることができるようにするために、部品またはピンを、それらを覆う各リンクの内側の幅の間隔を揃えるために各フック部分に設けなければならない。
【０００８】
ブレスレットが、上記で説明した文書のブレスレットよりも薄い厚さを有することができる場合でさえも、それらを保持するためにそれらを覆うリンクの内側で組み合わされているそれぞれの剛性フック要素を揃えるために部品が付加されなければならない。このことは、いくつかの部品をフック要素とともに配置しなければならない場合、ブレスレットの長さが容易に調節することができないため、大きな欠点を構成する。
【０００９】
接合された要素なしでブレスレットの適切な可撓性を確保しながら、ブレスレットの厚さを減少させるために、フランス国特許第２  ６２５  ８７９号は、可撓性コアを有するブレスレットを開示している。この可撓性コアは、剛性材料のリングがその上に配置されるストリップの形態である。
【００１０】
しかし、可撓性コアを備えるこのようなブレスレットの１つの欠点は、ブレスレットのサイズをブレスレットを着用する人の手首に適合させることが困難であることである。所望の大きさにサイズを小さくすることができるようにするためには、１つまたはいくつかのリングを取り外して、可撓性コアを切断し、別の端部部片に連結しなければならないため、専門店に行くことが必要である。
【００１１】
可撓性コアを備えるこのようなブレスレットの別の欠点は、ブレスレットのサイズをブレスレットを着用する人に適合させるために可撓性コアが切断された後は、ブレスレットを着用する別の人のためのそのサイズを大きくすることがもはや可能でないことである。
【特許文献１】欧州特許第０  ０３０  ７０５号
【特許文献２】中国特許第３６５  ２４２号
【特許文献３】フランス国特許第２  ６２５  ８７９号は、
【発明の開示】
【発明が解決しようとする課題】
【００１２】
したがって、可撓性コアの上に剛性材料製のリンクを備え、ブレスレットのサイズを容易に調節することができる、厚さの薄いブレスレットを提供することによって、上記で説明した従来技術の欠点を克服することが、本発明の目的である。
【課題を解決するための手段】
【００１３】
したがって、本発明は、前記可撓性コアが、その長さの一部にわたって、取外し可能に次々に組み合わされた可撓性要素で形成されており、前記可撓性コアの長さの方向の前記可撓性要素がそれぞれ、第１および第２の組合せ部分を互いに嵌合させることによって前記要素を次々に組み合わせることができるように、２つの対向する側面に、第１の組合せ部分とその第１の組合せ部分に対して相補的である第２の組合せ部分とを備え、さらに、互いに嵌合された部分をリンクが覆うことによって、前記可撓性要素をその組み合わされた位置に保持するように前記リングが前記可撓性コアに配置されていることを特徴とする上記で述べたブレスレットに関する。
【００１４】
本発明によるブレスレットの１つの利点は、可撓性コアから少なくとも１つの可撓性要素といくつかのリンクを取り外すまたは追加することによって、ブレスレットのサイズを調節することが容易であることである。ブレスレットのサイズを小さくするために、ブレスレットの一方の端部から最後の可撓性要素に対応している端部部片を最初に取り外す。その後、少なくとも最後のリンクを可撓性コアの上を滑らせ、コアの自由端部から取り外す。２つの隣接する可撓性要素の組み合わされた部分を覆っていたこの最後のリンクを取り外すことによって、最後の要素を、それが取り付けられていた他方の要素から外すことができる。ブレスレットのサイズが使用者の手首に適合するまで、いくつかのリンクと可撓性要素を取り外すために、これらの動作を次々にまたは同時に行うことができる。
【００１５】
有利には、可撓性要素は、一方の側面に第１の組合せ部分を、反対の側面に第１の組合せ部分と相補的である第２の組合せ部分を有する。このようにして、要素は、それらの相補的な組合せ部分を互いにはめる、すなわち嵌合させることによって次々に組み合わせることができる。このようにして可撓性コアの可撓性要素が組み合わされれば、可撓性コアは、その長さの大部分にわたって一様な厚さの可撓性ストリップを形成する。もちろん、ブレスレットのサイズの調節はブレスレットの全長にわたって行われないため、可撓性コアの一部分のみを、同じサイズの可撓性要素で形成させるようにしてもよい。
【００１６】
有利には、各可撓性要素の第２の組合せ部分は、Ｔ字型またはハトの尾型であってもよいが、一方、第１の組合せ部分は、第２の組合せ部分と相補的であるＴ字型またはハトの尾型の開口を有する。
【００１７】
有利には、可撓性コアは、その超弾性の品質の形状記憶材料製である。この形状記憶材料は、チタニウムとニッケルで形成された金属合金、または複合プラスチック材料であってよい。可撓性コアの厚さは、１ｍｍ未満、たとえば約０．４ｍｍであり、好ましくは０．２ｍｍに等しい。したがって、この材料で作製されたコアは、ブレスレットに適切な可撓性を与えながら、破損することなく、かなりの引張りまたはねじり力に耐えることができる。この可撓性コアの超弾性形状記憶材料によって、コアに、熱処理を介して手首の形状に対応する休止時の形状を与えることが可能である。さらに、この超弾性材料では、弾性は、鉄製ばねの弾性の４倍以上である。
【００１８】
有利には、剛性材料のリンクは、３ｍｍ未満、好ましくは約２ｍｍの厚さを有するセラミック材料、サーメットまたは超硬合金製であってよい。このようにして、ブレスレットは、高いレベルの対破壊性および安全性を有し、厚さを薄くすることができる。また、リンクの材料は、非アレルギー性および生体適合性であるように選択される。
【００１９】
ブレスレットを構成する様々な部品が製造するのが容易であり、ブレスレットのサイズが容易に調節することができるため、コストが低減される。
【００２０】
可撓性コア上の剛性のリンクを有するブレスレットの目的、利点および特徴は、図面を伴った本発明の限定されない実施形態の以下の説明でより明らかになるであろう。
【発明を実施するための最良の形態】
【００２１】
図１は、組み合わされた位置でのブレスレット１のブランチの一部を簡単に示している。ブレスレット１は、いくつかの剛性材料製のリンク２がその上にねじ付けされている可撓性コア３と、可撓性コアの一方の端部に固定された端部部片５とを備える。端部部片５は、図示のように留め金の一部であってもよい、または図示されていない時計ケースとの接続部品の一部であってもよい。可撓性コアの他方の端部（図示せず）は、従来の方式で時計ケースに固定されても、端部部片５に対して相補的な部分として働く別の端部部片に固定されてもよい。
【００２２】
可撓性コア３は、第１の可撓性部品４’と、可撓性ストリップを形成するように第１の可撓性部品から次々に組み合わされているいくつかの可撓性要素４とで形成されている。可撓性要素４は、それらを覆うリンク２に応じて、等しいまたは異なる大きさを有する。
【００２３】
各可撓性要素４は、ブレスレットの長さ方向で見て、第１の組合せ部分６を備える第１の側面、および第１の組合せ部分と相補的である第２の組合せ部分７を有する第２の側面を有する。このようにして、可撓性要素４は、それらの対応する組合せ部分を互いに嵌合させることによって、次々に取外し可能な方式で組み合わせることができる。組合せ部分は、相補的な部分が互いに嵌合されるとき、摩擦によって部品を一時的に接触させて保持するように構成させることが望ましい。
【００２４】
したがって、第１の可撓性部品４’は、そこから可撓性要素４がストリップを形成するために組み合わされている組合せ部分を一方の端部に有さなければならない。可撓性要素を組み合わせるというこの方式によって、ストリップを、可撓性コア３の長さの大部分にわたって一様な厚さとすることができる。可撓性コア３のこの厚さは、１ｍｍ未満、好ましくはほぼ０．２ｍｍである。
【００２５】
各可撓性要素４の第２の組合せ部分７はＴ字型であってもよいが、第１の組合せ部分６は、第２の組合せ部分７と相補的なＴ字型の開口部である。可撓性要素４の第２の組合せ部分７を、このようにして、隣接する可撓性要素の第２の組合せ部分６内に嵌合させることができる。他のいくつかの要素でこれらの動作を繰り返すことによって、可撓性コアを形成する可撓性ストリップが得られる。
【００２６】
もちろん、組合せ部品は、他の形状、特に、各可撓性要素の中央部分に少なくとも１つの頭部とその頭部に連結されるアームを備える一つの組合せ部品を有するように作製されてもよい。頭部の幅はもちろん、それぞれの組み合わされた要素を長手方向に保持するためにアームの幅よりも大きい。この頭部は、それを各要素の中央部分と接続するアームの幅よりも大きな直径の一部を描くことができる。したがって、他方の組合せ部品は、可撓性要素内の相補的な円形の開口でなければならない。
【００２７】
可撓性コアを作製するために使用される材料は、形状記憶材料などの金属または超弾性ガラスなどの弾性の材料であってもよい。この形状記憶材料は、チタニウムとニッケルで形成された金属合金、または複合プラスチック材料であってもよい。この材料は、ブレスレットに容易に曲げることができるために必要な可撓性を有しながら、非アレルギー性および生体適合性でなければならない。したがって、このような材料の様々なプレートまたはシートを、特に打ち抜き加工することによって、様々な可撓性要素を製造することは容易である。
【００２８】
可撓性要素４を組み合わされた位置に保持するために、これらは、ほぼ平行六面体の全体形状として示されている剛性材料製のリンク２によってカバーされる。これらのリンク２は、可撓性コアの上を滑ることができ、リンクにねじを取り付けることができる十分な大きさの長手方向開口１２を有するリング状に形成されている。長手方向開口１２は、ブレスレットが曲げられたときに、可撓性要素の鉛直方向に移動できるようにわずかに丸みを帯びた表面を有する。さらに、各リンクの下側部分は、可撓性コアを曲げることによってブレスレットを曲げることができるように、角錐台型の形状を有する。
【００２９】
リンクは、有利には、３ｍｍ未満、好ましくは２ｍｍに等しい厚さを有するセラミック材料、サーメット、超硬合金または木製である。
【００３０】
リンク２を、可撓性要素を組み合わせた後に、または要素を次々に組み合わせているにときに順次、コアの第１の端部から可撓性コアの他方の端部へ一つ一つ可撓性コア上にねじ止めするようにしてもよい。各リンクの長手方向開口１２の幅は、各可撓性要素の最大幅よりもわずかに大きく、その高さは、各可撓性要素４の厚さの２倍よりも小さい。好ましくは、開口の最小高さは、各可撓性要素４の厚さよりもわずかに大きい。このようにして、リンクは、可撓性コアの上を容易に滑ることができる。
【００３１】
可撓性コア３の両端部の間で可撓性コア３にリンク２がすべて装着された後、リンクは、組み合わされた要素の組合せ部分の各ゾーンが、リンクの１つによって完全に覆われるように位置調節される。したがって、このことによって、可撓性コアの可撓性要素のすべてを組み合わされた位置に保持させることが可能になる。最後の要素４の最後の組合せ部分または第１の可撓性部分４’に端部部片５を固定してから、リンク２を端部部片５によって可撓性コア３上に配置してもよい。
【００３２】
図１ａ、１ｂの第１の実施形態によれば、端部部片５を固定するために、各要素４の、および第１の可撓性部分４’の第２の組合せ部分７は、１つまたは２つの開口８を備えている。端部部片５は、ブレスレットの長さに対して垂直な方向に配置された１つまたは２つのめくら孔９を備える。１本または２本のステム１０が、最後の可撓性要素４または第１の可撓性部品４’の開口８を通過して、各めくら孔９内に装着される。
【００３３】
めくら孔９は、ねじ山付きでもよく、２本のステム１０は、孔９の１つにそれぞれ螺合されるねじであってもよい。もちろん、端部部片を固定するねじは、それらを隠すために、着用する人の手首と接触するブレスレットの側面に配置される。
【００３４】
ブレスレットの第１の実施形態に関する図２ａ、２ｂは、ブレスレット１のサイズをどのようにして調節するかを説明している。以下で説明するブレスレットの同一の要素は、図１ａ、１ｂを参照にして説明したものと同じ符号を有することに留意されたい。したがって、これらの要素すべての説明は繰り返さない。
【００３５】
ブレスレットのサイズの調節に関する説明を簡単にするために、１つの可撓性要素４と１つの対応するリンク２の追加または取外しのみについて述べる。もちろん、等価なものによって、いくつかの要素とリンクの追加または取外しを同じように行うことができる。
【００３６】
ブレスレットのサイズを大きくするために、最後の可撓性要素４の第２の組合せ部分７から端部部片５がまず最初に取り外される。次に、ステップａ１で、追加の可撓性要素４の第１の組合せ部分６が、可撓性コア３の最後の要素の第２の組合せ部分７にはめ込まれる。この新しい可撓性要素４を組み合わせた後、新しいリンク２が、ステップａ２でブレスレット１の最後の先行するリンクと接触するまで、コアに差し込まれる。
【００３７】
いったん新しいリンク２が可撓性コア上に配置された後、ステップａ３で端部部片５を取り付けるように、追加の要素の第２の組合せ部分７が露出したままにされる。追加の要素４の第２の組合せ部分である可撓性コアの端部に端部部片５を配置し、直ちに、固定ねじ１０をステップａ４で２つの開口８を通してねじ付き孔９内にねじ込む。このようにして、ブレスレットのサイズが、１つの追加要素とリンクによって調節される。
【００３８】
ブレスレットのサイズを小さくするためには、固定ねじ１０を、ステップｂ１でまず最初に抜き、めくら孔９から取り外す。次に端部部片５を、ステップｂ２で可撓性コアから取り外す。その後、最後のリンク２を、ステッｂ３で、可撓性コアから取り外すように滑らせる。最後に、最後の可撓性要素４を、ステップｂ４で、その第１の組合せ部分６を隣接する要素の第２の組合せ部分７から外すことによって取り外す。このようにして、１つの要素と１つのリンクをブレスレットから取り外して、端部部片５を、可撓性コアの最後の要素の第２の組合せ部分に固定する。
【００３９】
このような目的のために専門店に行く必要なしに、ブレスレットのサイズをブレスレットを着用する人に合わせて調節することが容易であることを、上記で説明した様々なステップから理解されるであろう。
【００４０】
可撓性コアと剛性材料製のいくつかのリンクで形成されたブレスレットの可撓性を示すために、直線状の位置、わずかに曲がった位置、さらにブレスレットの最大の曲げ位置である極めて曲がった位置でのブレスレットの一部を示す図３ａから３ｃを参照することができる。前記のように、以下で説明するブレスレットの同一の要素には同一の符号を与えて、詳細には説明しない。
【００４１】
これらの図３ａから３ｃに示したリンクの形状は、特にそれらのコアから上側の部分に関しては、図１ａ、１ｂに示したものとわずかに異なる。各リンクは、第１の面の上側部分に第１の丸みを帯びた凸状部分２２を有し、反対側の第２の面の上側部分に第２の丸みを帯びた凹状部分２３を有することに留意されたい。したがって、可撓性コア３上でリンク２を並置させると、１つのリンクの第１の凸状部分２２が、隣接するリンクの第２の凹状部分の中に入る。
【００４２】
図３ｂ、３ｃに示すようにブレスレット１を曲げることによって、可撓性コアの可撓性要素４の屈曲が観察される。これは、長手方向開口部１２内で鉛直方向に移動することができる。この可撓性コア３のため、および連接ピンを使用していないため、たとえば図３ｃに示すような特に最大位置まで、ブレスレットを容易に曲げることが可能である。
【００４３】
ブレスレットの第２の実施形態に関する図４ａ、４ｂは、ブレスレット１のサイズをどのようにして調節するかを説明している。以下で説明するブレスレットの同一の要素は、前に説明したものとは異なる組合せ部分を除いて、図１ａ、１ｂを参照にして説明したものと同じ符号を有することに留意されたい。したがって、すでに説明したこれらの要素すべての説明は繰り返さない。
【００４４】
ブレスレットのサイズの調節に関する説明を簡単にするために、図２ａ、２ｂの第１の実施形態のように、１つの可撓性要素４および１つの対応するリンク２の追加または取外しのみについて述べる。もちろん、等価なものによって、いくつかの要素とリンクの追加または取外しを、同じように行うことができる。
【００４５】
第２の組合せ部分２７は、上から見ると台形形状またはハトの尾型であり、第１の組合せ部分２６は、第１の部分と相補的である、台形形状またはハトの尾型の開口である。開口２８がまた、曲げでのブレスレットの反力を調節するために、いくつかの要素の中央部分に形成されている。しかし、それぞれの位置での各可撓性要素の厚さを減少させることを考えることもできるが、可撓性コアの全体の厚さがすでにかなり減少されていれば、このことは有利ではないであろう。
【００４６】
この第２の実施形態では、端部部片５が第１の部品５ａと第２の部品５ｂで形成されていることに留意されたい。第２の部品５ｂは、第２の部品５ｂの孔１９の中を通過し、第１の部品５ａの対応するねじ山１８内に螺合される２本のねじ２０を使用して第１の部品５ａに固定される。
【００４７】
第２の部品５ｂが第１の部品５ａに固定されると、端部部片５は、可撓性要素の第２の組合せ部分２７に対して相補的な形状のくぼみ２５を備えるようになる。したがって、第２の組合せ部分２７が端部部片のくぼみ２５内に収容されるため、可撓性コアの第１の可撓性部品４’や各要素の中に固定開口を設けることは、もはや必要ではない。
【００４８】
ブレスレットのサイズを大きくするために、まず、端部部片５を、最後の可撓性要素４の第２の組合せ部分２７から取り外する。この後、ステップａ１で、追加の可撓性要素４の第１の組合せ部分２６を、可撓性コア３の最後の要素の第２の組合せ部分２７の中にはめ込む。この新しい可撓性要素４を組み合わせた後、新しいリンク２を、ステップａ２でブレスレット１の最後の先行するリンクと接触するまで、コアに入れる。
【００４９】
新しいリンク２を可撓性コア３上に配置し、ステップａ３で端部部片５の第１の部品５ａのくぼみ２５内に収容できるように、追加の要素の第２の組合せ部分２７を露出したままする。端部部片５の第１の部品５ａを、追加の要素４の第２の組合せ部分の可撓性コアの端部に配置し、第２の部品５ｂを、ステップａ４で、第１の部品５ａにあてがう。最後に、固定ねじ２０を、ステップａ５で、ねじ付き孔１８内にねじ込む。このようにして、ブレスレットのサイズを、１つの追加要素とリンクによって調節でききる。
【００５０】
ブレスレットのサイズを小さくするために、固定ねじ２０を、ステップｂ１でまず最初にねじ山付きのめくら孔９から抜き、取り外す。次に端部部片５の第２の部品５ｂを、ステップｂ２で取り外す。その後、端部部片の第１の部品５ａを、ステップｂ３で、最後の要素４の第２の組合せ部分から取り外す。最後のリンク２が、ステップｂ４で、可撓性コア上を滑らせて取り外す。最後に、最後の可撓性要素４を、ステップｂ５で、第１の組合せ部分２６を隣接する要素の第２の組合せ部分２７から外すことによって取り外す。１つの要素と１つのリンクを、ブレスレットから取り外した後、端部部片５を、可撓性コアの最後の要素の第２の組合せ部分に固定する。
【００５１】
端部部片５は、第２の部品５ｂにヒンジ（図示せず）を使用してヒンジ付けされた第１の部品５ａと、第２の部品５ｂを第１の部品５ａに固定する他の手段を有するようにしてもよいことに留意されたい。この端部部片を、クランプ機構で形成してもよい。
【００５２】
ここに示した説明から、特許請求の範囲によって定義された本発明の範囲を逸脱することなく、ブレスレットの多数の変形形態を当業者なら考えられるであろう。各リンクは、リンクが、可撓性コア上を滑動し、要素を組み合わされたままに保持できるように、Ｃ屈曲の端部を有するＣ字型であってもよい。孔開き部品が、ブレスレットの横方向の可撓性を増加させるために、可撓性要素の横側面上に設けられてもよい。端部部片は上記で説明したように第２の組合せ部分ではなく、要素の第１の組合せ部分または可撓性コアの第１の部品に固定されるように構成されてもよい。最後に、隠されるための組み合わされた要素の止め部材と当接して各リンクを配置するために、各リンクの開口内および可撓性要素の側面上に止め部材が設けられてもよい。
【図面の簡単な説明】
【００５３】
【図１】本発明による組み合わされたブレスレットの一部の第１の実施形態の上面図と図１ａの線Ｉ−Ｉに沿った断面図である。。
【図２】ブレスレットのサイズがどのようにして調節されるかを説明する、本発明によるブレスレットの一部の第１の実施形態の上面図と図２ａの線II−IIに沿った断面図である。
【図３】ａ：本発明によるリンクの変形形態を備える直線状位置でのブレスレットの一部の長手方向上面図である。ｂ：本発明によるリンクの変形形態を備えるわずかに曲がった位置でのブレスレットの一部の長手方向上面図である。ｃ：本発明によるリンクの変形形態を備える極めて曲がった位置でのブレスレットの一部の長手方向上面図である。
【図４】ブレスレットのサイズがどのようにして調節されるかを説明する、本発明によるブレスレットの一部の第２の実施形態の上面図と、図４ａの線III−IIIに沿った断面図である。
【符号の説明】
【００５４】
１  ブレスレット、２  剛性材料製のリンク、３  可撓性コア、４  可撓性要素、４’  第１の可撓性部品、５  端部部片、５ａ  第１の部品、５ｂ  第２の部品、６、７、２６、２７  組合せ部分、８  開口、９  めくら孔、１０  ステム、１２  長手方向開口、１８  ねじ山、１９  孔、２０  ねじ、２２  凸状部分、２３  凹状部分、２５  くぼみ、２８  開口
【図１】
2005230556.tif 000003
【図２】
2005230556.tif 000004
【図３】
2005230556.tif 000005
【図４】
2005230556.tif 000006